(57)【特許請求の範囲】
【請求項１】
肘当て基板の上面にパッド部材を装着してなる椅子の肘掛け装置において、
前記パッド部材を、平面形状が、前後方向の一端から他端にかけて横幅が漸次増大する細長い台形状とするとともに、硬質の芯材と、その上面を覆う軟質の表装材とにより形成し、かつ、前記芯材に、多数の小孔を、前記パッド部材の前後方向の一端から他端にかけて、開口率が漸次減少する配置をもって設け、さらに、前記パッド部材における他端側において、前記肘当て基板を、肘掛け支柱の上端に支持させ、前記一端を遊端としたことを特徴とする椅子の肘掛け装置。
【請求項２】
肘当て基板における芯材の他端側の部分と対向する部分に設けた孔あきボスを、肘掛け支柱の上端に設けた支持軸に嵌合することにより、肘当て基板を、肘掛け支柱の上端に支持させた請求項１記載の椅子の肘掛け装置。
【請求項３】
芯材における多数の小孔の配置を、芯材の一端から他端にかけて、漸次密から粗となるようにした請求項１または２記載の椅子の肘掛け装置。
【請求項４】
各小孔の開口面積を、芯材の一端から他端にかけて、漸次小とした請求項１〜３のいずれかに記載の椅子の肘掛け装置。
【請求項５】
各小孔を、前後方向に長い長円形または楕円形とし、その長さを、芯材の一端から他端にかけて、漸次小とした請求項１〜４のいずれかに記載の椅子の肘掛け装置。
【請求項６】
小孔の配置を、ほぼ芯材の長手方向を向く複数の列状とするとともに、互いに隣接する列同士の間隔が、芯材の一端から他端にかけて漸次拡開するようにした請求項１〜５のいずれかに記載の椅子の肘掛け装置。
【請求項７】
互いに隣接する列における各小孔の配置を、千鳥状とした請求項６記載の椅子の肘掛け装置。
【請求項８】
各小孔内に、表装材の一部を進入させた請求項１〜７のいずれかに記載の椅子の肘掛け装置。
【請求項９】
各小孔を、少なくとも一部が下方に向かって拡開する形状とし、この拡開部分に表装材を進入させた請求項１〜８のいずれかに記載の椅子の肘掛け装置。
【請求項１０】
各小孔内に進入した表装材の中央部に、下方に向かって開口する凹入部を設けた請求項８または９記載の椅子の肘掛け装置。
【発明の詳細な説明】
【技術分野】
【０００１】
本発明は、肘当て基板の上面にパッド部材を装着してなる椅子の肘掛け装置に関する。
【背景技術】
【０００２】
従来のこの種の椅子の肘掛け装置として、パッド部材を、前後方向に長い長方形とした硬質合成樹脂材料からなる芯材と、その上面を覆う軟質合成樹脂材料からなる表装材とにより形成するとともに、芯材に、前後方向に長い長円形または楕円形とした多数の小孔を設けたものがある（例えば、特許文献１参照）。
この従来の肘掛け装置においては、芯材における多数の小孔は、左右方向に等間隔に、かつ前後方向を向く複数の列状として、整然として設けられ、また表装材の厚さは、ほぼ均一としてあるので、パッド部材は、どの部位においても、ほぼ均一に撓むようになっている。
【先行技術文献】
【特許文献】
【０００３】
【特許文献１】特開２００５−１３１２３８号公報
【発明の概要】
【発明が解決しようとする課題】
【０００４】
しかし、パッド部材を、その幅が前方または後方に向かって、漸次拡開する平面視細長台形状とした場合、上述した従来のもののように、多数の小孔の配置を、整然とした複数の列状とし、パッド部材の可撓性を均質化すると、幅の広い部分が、幅の狭い部分に比して、大きく撓んで、肘当て基板から外れ易くなり、また着座者がパッド部材に肘を置いたときの感触が、前部と後部とで異なり、違和感を与えるおそれがある。
【０００５】
本発明は、従来の技術が有する上記のような問題点に鑑み、パッド部材の平面形状を、前後方向に幅の異なる例えば細長い台形状としたときにおける、幅の広い部分が過度に撓み易くなるのを防止し、もって、パッド部材が肘当て基板から外れ易くなったり、着座者がパッド部材に肘を置いたときの感触が、広幅部分と狭幅部分とで異なり、違和感を与えたりするのを防止しうるようにした、肘掛け時の感触がよい椅子の肘掛け装置を提供することを目的としている。
【課題を解決するための手段】
【０００６】
本発明によると、上記課題は、次のようにして解決される。
(１)肘当て基板の上面にパッド部材を装着してなる椅子の肘掛け装置において、前記パッド部材を、平面形状が、前後方向の一端から他端にかけて横幅が漸次増大する細長い台形状とするとともに、硬質の芯材と、その上面を覆う軟質の表装材とにより形成し、かつ、前記芯材に、多数の小孔を、前記パッド部材の前後方向の一端から他端にかけて、開口率が漸次減少する配置をもって設け、さらに、前記パッド部材における他端側において、前記肘当て基板を、肘掛け支柱の上端に支持させ、前記一端を遊端とする。
【０００７】
このような構成とすると、芯材に設けた多数の小孔の配置を、芯材の長手方向の一端から他端にかけて、開口率が漸次減少するようにしてあるので、芯材の他端側の剛性が、一端側の剛性より高まる。
したがって、パッド部材が肘当て基板から外れにくくなり、また、肘掛け時の感触がよい椅子の肘掛け装置を提供することができる。
芯材に設けた多数の小孔の配置を、横幅が漸次増大する芯材の長手方向の一端から他端にかけて、開口率が漸次減少するようにしてあるので、芯材の幅の広い部分の剛性が、幅の狭い部分の剛性より高まる。
したがって、パッド部材の平面形状を細長い台形状としても、従来のように、幅の広い部分が過度に撓み易くなり、パッド部材が肘当て基板から外れ易くなったり、着座者がパッド部材に肘を置いたときの感触が、広幅部分と狭幅部分とで異なり、違和感を与えたりするのを防止することができ、肘掛け時の感触がよい椅子の肘掛け装置を提供することができる。
しかも、肘掛け基板は、パッド部材における横幅が漸次大となる他端側において、肘掛け支柱の上端に支持される。
【０００８】
(２)上記(１)項において、肘当て基板における芯材の他端側の部分と対向する部分に設けた孔あきボスを、肘掛け支柱の上端に設けた支持軸に嵌合することにより、肘当て基板を、肘掛け支柱の上端に支持させる。
【０００９】
このような構成とすると、肘当て基板は、パッド部材における他端側において、肘掛け支柱の上端に支持される。
【００１０】
(３)上記(１)または(２)項において、芯材における多数の小孔の配置を、芯材の一端から他端にかけて、漸次密から粗となるようにする。
【００１１】
このような構成とすると、芯材における多数の小孔の配置を、芯材の一端から他端にかけて、漸次密から粗となるようにすることによって、簡単に、芯材の開口率を、一端から他端にかけて、漸次減少するようにすることができ、容易に製造することができる。
【００１２】
(４)上記(１)〜(３)項のいずれかにおいて、各小孔の開口面積を、芯材の一端から他端にかけて、漸次小とする。
【００１３】
このような構成とすると、各小孔の開口面積を、芯材の一端から他端にかけて、漸次小とすることによって、簡単に、芯材の開口率を、一端から他端にかけて、漸次減少するようにすることができ、容易に製造することができる。
【００１４】
(５)上記(１)〜(４)項のいずれかにおいて、各小孔を、前後方向に長い長円形または楕円形とし、その長さを、芯材の一端から他端にかけて、漸次小とする。
【００１５】
このような構成とすると、各小孔を、前後方向に長い長円形または楕円形とし、その長さを、芯材の一端から他端にかけて、漸次小とすることによって、簡単に、芯材の開口率を、一端から他端にかけて、漸次減少するようにすることができ、容易に製造することができる。
【００１６】
(６)上記(１)〜(５)項のいずれかにおいて、小孔の配置を、ほぼ芯材の長手方向を向く複数の列状とするとともに、互いに隣接する列同士の間隔が、芯材の一端から他端にかけて漸次拡開するようにする。
【００１７】
このような構成とすると、小孔の配置を、ほぼ芯材の長手方向を向く複数の列状とするとともに、互いに隣接する列同士の間隔が、芯材の一端から他端にかけて漸次拡開するようにしてあるので、小孔をバランスよく芯材に配置することができ、狭幅部分から広幅部分にかけて、芯材の剛性をなめらかに高めることができ、剛性の変化による違和感をなくすことができる。
【００１８】
(７)上記(６)項において、互いに隣接する列における各小孔の配置を、千鳥状とする。
【００１９】
このような構成とすると、各小孔を、長軸が各列の方向を向く長円形または楕円形とし、かつ互いに隣接する列における各小孔の配置を、千鳥状としてあるので、左右方向の撓みが均一になり、例えば格子状の配置とした場合のように、局部的に左右方向に撓みにくい部位が生じるといったおそれがない。
【００２０】
(８)上記(１)〜(７)項のいずれかにおいて、各小孔内に、表装材の一部を進入させる。
【００２１】
このような構成とすると、各小孔内に、表装材の一部を進入させてあるので、表装材が心材から剥離するのを防止することができる。
【００２２】
(９)上記(１)〜(８)項のいずれかにおいて、各小孔を、少なくとも一部が下方に向かって拡開する形状とし、この拡開部分に表装材を進入させる。
【００２３】
このような構成とすると、各小孔を、少なくとも一部が下方に向かって拡開する形状とし、この拡開部分に表装材を進入させてあるので、表装材が心材から、より剥離し難くなる。
【００２４】
(１０)上記(８)または(９)項において、各小孔内に進入した表装材の中央部に、下方に向かって開口する凹入部を設ける。
【００２５】
このような構成とすると、各小孔内に進入した表装材の中央部に、下方に向かって開口する凹入部を設けてあるので、表装材の材料費を低減することができるとともに、軽量化を図ることができる。
【発明の効果】
【００２６】
本発明によると、パッド部材の平面形状を、前後方向に幅の異なる例えば細長い台形状としたときにおける、幅の広い部分が過度に撓み易くなるのを防止し、もって、パッド部材が肘当て基板から外れ易くなったり、着座者がパッド部材に肘を置いたときの感触が、広幅部分と狭幅部分とで異なり、違和感を与えたりするのを防止しうるようにした、肘掛け時の感触がよい椅子の肘掛け装置を提供することができる。
【図面の簡単な説明】
【００２７】
【図１】本発明の一実施形態の肘掛け装置の側面図である。
【図２】図１のII−II線切断部端面図である。
【図３】肘当て基板を斜め上方から見た斜視図である。
【図４】図３のIV−IV線切断部端面図である。
【図５】パッド部材を斜め下方より見た斜視図である。
【図６】図５のVI−VI線拡大縦断面図である。
【図７】芯材の変形例の底面図である。
【発明を実施するための形態】
【００２８】
以下、本発明の一実施形態を、図１〜図６に基づいて説明する。
本実施形態の椅子の肘掛け装置１は、平面形状が、前端から後端にかけて、横幅が漸次増大するほぼ前後方向を向く細長台形をなす肘当て基板２の上面に、所要の空間３を形成して取り付けられるパッド部材４を備え、このパッド部材４は、適度に弾性変形可能な硬質合成樹脂材料製の板状の芯材５と、その表面を覆う軟質合成樹脂材料製の表装材６とにより形成されている。
【００２９】
なお、肘当て基板２およびパッド部材４は、上記の形状を前後反転させて、後端から前端にかけて、横幅が漸次増大するほぼ前後方向を向く細長台形とすることもある。
【００３０】
肘当て基板２の外周縁には、上向縁片１０が設けられ、その内側には、上向凹溝９を介して、肘当て基板２と相似形をなす起立片８が設けられている。起立片８には、複数の係合孔７が設けられている。
【００３１】
芯材５の下面外周縁よりやや内側には、上記起立片８に外嵌され、かつ内周面に上記係合孔７に係合する係合爪１１が突設された下向片１２が突設されている。下向片１２の外周面と下面とは、上記表装材６により覆われており、下向片１２の下面を覆う表装材６の下端部は、上記上向縁片１０の上向凹溝９内に嵌合されている。
【００３２】
芯材５は、適度の弾性を有する、例えばポリプロピレン、ポリエチレン等により、また表装材６は、柔軟性と弾性を有する、例えばポリウレタンまたはポリエステル系のエラストマにより、それぞれ形成するのが好ましい。
【００３３】
上記芯材５の下向片１２における係合爪１１のない部分は薄く形成されている。このため、肘当て基板２とパッド部材４との結合強度を低下させることなく、材料の削減と軽量化を図ることができる。
【００３４】
肘当て基板２の起立片８における係合孔７、およびそれに係合する芯材５の係合爪１１は、水平方向に長いものとしてあり、それによって、肘当て基板２と芯材５との結合強度を高めてある。
【００３５】
肘当て基板２の後部の左右方向の中央には、図示しない肘掛け支柱の上端に設けられた支持軸が嵌合する上下方向の孔あきボス１３が形成され、かつ孔あきボス１３を中心として、肘当て基板２の底壁には、放射状の上向リブ１４が設けられている。
【００３６】
図２に示すように、上向リブ１４の上端は、常時は、芯材５の下面から離間しているが、肘掛け時に、パッド部材４が下方に弾性撓曲したとき、芯材５が当接して、パッド部材４のそれ以上の下方への撓曲を阻止するようになっている。
【００３７】
芯材５の上面には、芯材５の可撓性を高めるための前後方向を向く多数の小孔１５の列が、隣接するもの同士の間隔が、芯材５の前部から後部にかけて漸次大となるようにして、換言すれば、狭幅の前端部から広幅の後端部にかけて、漸次密から粗となる配置で設けられている。
このように、芯材５における多数の小孔１５の配置を、芯材５の前部から後部にかけて、漸次密から粗となるようにすることによって、芯材５の開口率を、前部から後部にかけて、漸次減少させている。
【００３８】
各小孔１５は、長軸がほぼ前後方向を向く長円形または楕円形とし、かつ互いに隣接する列における各小孔１５の配置は、千鳥状とするのが好ましい。
【００３９】
図６に示すように、各小孔１５の前後の端面は、下方に向かって拡開する形状とし、この拡開部分に、軟質の表装材６の一部を挿入させることにより、表装材６が心材５から剥離するのを防止しうるようにしてある。
【００４０】
また、各小孔１５内に挿入されている表装材６の中央部に、下方に向かって拡開する凹入部１６を設けることにより、表装材６の材料費を低減することができるとともに、軽量化を図ることができるようにしてある。
【００４１】
この凹入部１６は、芯材５と表装材６とをインサート成形する際に、図６に２点鎖線で示すように、上面に凹入部１６形成用の多数の突部１７を設けた下型１８上に芯材５を載置し、芯材５の上面に、表装材６形成用の合成樹脂材料を導き、その一部を、芯材５の小孔１５の内面と、下型１８の突部１７の表面との間の空間内に充填させることにより、簡単に形成することができる。
なお、小孔１５内全体に、表装材６の一部を充填させてもよい。
【００４２】
本実施形態の肘掛け装置は、上記のような構成としてあるので、肘当て基板２とパッド部材４との取り付けに、ねじを使う必要がなく、部品点数を少なくすることができ、組立性が向上する。
【００４３】
また、肘当て基板２とパッド部材４との内方に形成される空間部の角部に、パッド部材４の弾性変形の妨げとなるボス部や雌ねじ部といったねじ取付けのための局部的な剛体部分をなくすことができるため、パッド部材４を、ほぼ全域にわたって、均一に弾性変形しうるようにすることができる。
【００４４】
さらに、芯材５に設けた多数の小孔１５の配置を、横幅が漸次増大する芯材５の長手方向の一端から他端にかけて、漸次密から粗となるようにすることにより、芯材５の開口率を、一端から他端にかけて、漸次減少するようにしてあるので、芯材５の幅の広い部分の剛性が、幅の狭い部分の剛性より高まる。
したがって、パッド部材４の平面形状を細長い台形状としても、従来のように、幅の広い部分が過度に撓み易くなり、パッド部材４が肘当て基板２から外れ易くなったり、着座者がパッド部材４に肘を置いたときの感触が、広幅部分と狭幅部分とで異なり、違和感を与えたりするのを防止することができ、肘掛け時の感触がよい椅子の肘掛け装置１を提供することができる。
【００４５】
以上、本発明の実施形態を図面により詳述してきたが、具体的な構成はこの実施形態に限られるものでなく、特許請求の範囲を逸脱しない範囲で、設計変更等が可能である。
上記実施形態では、芯材５における多数の小孔１５の配置を、芯材５の一端から他端にかけて、漸次密から粗となるようにすることによって、芯材５の開口率を、一端から他端にかけて、漸次減少させているが、例えば、前後方向に長い長円形または楕円形とした各小孔１５の長さを、芯材５の一端から他端にかけて、漸次小とすることにより、芯材５の開口率を、一端から他端にかけて、漸次減少するようにしたり、図７に示すように、各小孔２０を円形とするとともに、その直径、すなわち開口面積を、芯材５の一端から他端にかけて、漸次小とすることにより、芯材５の開口率、すなわち平均開口面積を、一端から他端にかけて、漸次減少するようにしたりすることもできる。
【符号の説明】
【００４６】
１  肘掛け装置
２  肘当て基板
３  空間
４  パッド部材
５  芯材
６  表装材
７  係合孔
８  起立片
９  上向凹溝
１０  上向縁片
１１  係合爪
１２  下向片
１３  孔あきボス
１４  上向リブ
１５  小孔
１６  凹入部
１７  突部
１８  下型
２０  小孔
【図１】
0005400128.tif 000002
【図２】
0005400128.tif 000003
【図３】
0005400128.tif 000004
【図４】
0005400128.tif 000005
【図５】
0005400128.tif 000006
【図６】
0005400128.tif 000007
【図７】
0005400128.tif 000008